(57)【要約】【課題】　圧縮ストッキングの作用方法を改善しかつ使用領域を拡大すること。【解決手段】本発明は、圧縮ストッキング（１）に固定可能で、膝関節（５）に付設された圧縮体を有する弾性織物、ニット製品又は編物から成る圧縮ストッキングに関するものである。本発明による圧縮ストッキング（１）は、例えば、手術後に膝関節（５）の領域に使用可能である。手術の際に生じる傷分泌液、血液及び体液を関節軟部から流出させるために、膝関節（５）の関節軟部は圧縮ストッキング（１）及び圧縮体（６）によって特定な圧力をかけられる。このために、圧縮体（６）は、膝関節（５）の膝皿の収容のための空所（７）を有する。空所（７）も圧縮体（６）も、膝皿若しくは関節軟部の形に略適合する楕円形を有する。傷の縫い目及び付設の傷クリップの収容のために、圧縮体（６）は膝関節（５）の関節軟部に面した面に溝状の凹部（１１）を有する。【選択図】　図１
2004076250.tif 000002
【特許請求の範囲】
【請求項１】
　圧縮ストッキング（１）に固定可能で、弾性材料から成る圧縮体（６）を有する弾性織物、ニット製品又は編物から成る圧縮ストッキングにおいて、
　圧縮体（６）が膝関節（５）の膝皿の収容のための空所（７）を有し、その際隣接した関節軟部は、空所（７）を取り囲む圧縮体（６）によって圧力をかけられることができかつ圧縮体（６）の関節軟部に面した面は溝状の凹部（１１）を有することを特徴とする前記圧縮ストッキング。
【請求項２】
　圧縮体（６）が、長軸（８）及び短軸（９）を有する楕円形を有することを特徴とする請求項１に記載の圧縮ストッキング（１）。
【請求項３】
　溝状の凹部（１１）が、圧縮体（６）の長軸（８）に沿って設けられていることを特徴とする請求項１又は２に記載の圧縮ストッキング（１）。
【請求項４】
　溝状の凹部（１１）が、幅略１２〜２０ｍｍかつ深さ略４〜１０ｍｍであることを特徴とする請求項１から３までのうちのいずれか１つに記載の圧縮ストッキング（１）。
【請求項５】
　空所（７）が、圧縮体（６）に楕円形に形成されていることを特徴とする請求項１から４までのうちのいずれか１つに記載の圧縮ストッキング（１）。
【請求項６】
　空所（７）が、長軸（８）の長さ略７０〜８５ｍｍかつ短軸（９）の長さ略５０〜６０ｍｍを有することを特徴とする請求項１から５までのうちのいずれか１つに記載の圧縮ストッキング（１）。
【請求項７】
　圧縮体（６）が、接着結合によって圧縮ストッキング（１）に取り外し可能に固定されていることを特徴とする請求項１から６までのうちのいずれか１つに記載の圧縮体を有する圧縮ストッキング（１）。
【請求項８】
　圧縮体が、少なくとも部分的にシリコンから成ることを特徴とする請求項１から７までのうちのいずれか１つに記載の圧縮ストッキング（１）。
【請求項９】
　圧縮体（６）と膝軟部との間に保護層が配設されていることを特徴とする請求項１から８までのうちのいずれか１つに記載の圧縮体を有する圧縮ストッキング（１）。
【発明の詳細な説明】
【技術分野】
【０００１】
　本発明の目的物は、圧縮ストッキングに固定可能で、弾性材料から成る圧縮体を有する弾性織物、ニット製品又は編物からなる圧縮ストッキングに関するものである。
【背景技術】
【０００２】
　ずっと以前からそれ自体公知である圧縮ストッキングは、実質的に弾性織物、ニット製品又は編物から成りかつ脚の全長に亘って延びる。圧縮ストッキングは、特に、静脈疾患、例えば、静脈瘤の発生の際に使用される。圧縮ストッキングの使用によって、心臓への静脈血流の規則的な加速が達成されかつ静脈鬱血は排除される。静脈弁の病的誤機能は外方からの圧縮によって修正される、そのわけは、ふくらはぎのポンピング作用が再生されるからである。更に、使用された血液や体液は、組織中に集められかつ堰きとめられることが防止され、その結果組織は浮腫の増大による損傷から保護される。それによって圧縮ストッキングは、例えば、手術後の血栓症予防にも使用されることができる。
【０００３】
　冒頭に述べた形式の圧縮ストッキングは、例えば特許文献１から公知である。ここでは、圧縮ストッキングへの圧縮体の固定方法が記載されている。圧縮体は、圧力クッション又は保護しかつ支持するクッションとして形成されている。クッション若しくは圧子の正確な構成又は固定個所及び作用法及び圧縮ストッキングの使用領域については勿論詳しく説明されてない。
【０００４】
　更に、例えば特許文献２から、クッション用挿入物として形成され、内蔵されたリンパ平衡繊維状物による治療のための圧縮体を有する圧縮ストッキングが公知である。クッションは、扁平で、弾性発泡体によって形成されかつ多数のくぼみ及び隆起を有する。対応する人体部分の運動では、これらのくぼみ及び隆起は病気の組織に機械的な刺激を作用し、それによって病状で変わる条件にも鬱血する体液の流出が可能にされ若しくは改善される。
【０００５】
　その際、発泡材料は、その高い密度及び必要な材料厚さのために、常にその原形を保持しようとする。発泡材料が周囲の圧縮ストッキングにより圧縮すべき組織に押圧されると、発泡材料によって、相応した人体部分の運動に抗する復元力が形成される。こうして患者の運動自由度は著しく高められる。
【０００６】
　例えば特許文献３及び例えば特許文献４から、関節の支持若しくは圧縮のためのそれぞれ１つの包帯が公知である。この公知の管状の包帯は、関節損傷では該当する関節上に付けられ、かつ関節の骨突起を取り囲むリング状の圧縮挿入物を有する。この圧縮挿入物は、関節軟部に圧力をかけかつそれによって損傷した関節若しくは関節軟部に作用する機械的な刺激を発生する。これらの包帯は、損傷後若しくは衰退しつつある疾患、例えば、半月板損傷、関節炎、内出血及び膝関節の靭帯損傷の際に使用される。包帯による圧力は、専ら圧縮挿入物、従って専ら関節軟部に作用される。
【特許文献１】ドイツ特許出願公開第１９５０６１２８号明細書
【特許文献２】ドイツ特許出願公開第４３４１７２２号明細書
【特許文献３】ヨーロッパ特許出願公開第００２７１７２号明細書
【特許文献４】ヨーロッパ特許出願公開第０２６２６３８号明細書
【発明の開示】
【発明が解決しようとする課題】
【０００７】
　本発明は、圧縮ストッキングの作用方法を改善しかつ使用領域を拡大することを課題の基礎とする。
【課題を解決するための手段】
【０００８】
　この課題は、請求項１の特徴部による圧縮ストッキングによって解決される。本発明の他の構成は、請求項２から９までに記載されている。
【０００９】
　本発明は圧縮ストッキングであり、本発明によれば圧縮体は膝関節の膝皿の収容のための空所を有し、隣接した関節軟部は、空所を取り囲む圧縮体によって圧力を付勢可能でありかつ圧縮体の関節軟部に面した面は少なくとも１つの溝状の凹部を有する。こうして、本発明による圧縮ストッキングを膝関節の領域で手術直後にも使用する可能性が創造される。それによって、膝関節及び脚の圧力付勢のために技術水準により必要とされかつ面倒な弾性包帯の巻きつけは最早不必要となる。本発明による圧縮ストッキングによって取り囲まれた脚にも圧縮体にも同時に特定された圧力が作用される。膝関節の膝皿には、圧縮体の空所のために圧力は付勢されない。その代わりに、圧力は完全に膝皿に隣接した関節軟部に導入される。こうして、手術後に生じる傷分泌液、血液及び体液は、静脈還流を介して膝関節の関節軟部若しくは血管包被から押し出される。それによって膝関節の腫れ並びに傷縫い目のやぶれは防止される。圧縮ストッキングから脚の隣接した領域に作用する圧力は、境を接する脚領域におけるこれらの液体の集積及び堰きとめを阻止し、ここで静脈還流を支持しかつそれによって切迫する血栓症を防止する。手術に起因する傷縫い目は、付設の傷クリップと共に、圧縮体の凹部によって収容される。それによって極端に痛みに敏感な傷縫い目は、圧縮体の圧力をかけられず、このことは、更に、傷治癒を改善し、縫い目のやぶれを防止しかつ同時に患者の痛みを和らげる。更に、圧縮体への傷縫い目若しくは傷クリップの収容によって、及び圧縮体の空所における膝皿の配列によって、関節軟部がある関節の領域に圧縮体が全面で載ることが達成される。
【００１０】
　本発明の特別に合理的な変形は、圧縮体が長軸及び短軸を有する楕円形を有することによって創造される。こうして、圧縮体が略楕円の形を有する膝関節の関節軟部若しくは血管包被の形に適合される。その際圧縮体は、圧縮体の長軸が人体縦軸線に対して略平行に配設されているように向けられる。関節軟部への圧縮体の適合によって、圧縮ストッキングによって付勢される全圧力は完全にかつ殆ど損失なしに関節軟部に導入されることが保証される。
【００１１】
　その際、溝状の凹部が圧縮体の長軸に沿って配設されていることが特に有効であることが実証されている。こうして、圧縮体における溝状の凹部が膝手術の際に特徴的な縫い目形状に適合される。
【００１２】
　その際、溝状の凹部が幅略１２〜２０ｍｍ及び深さ略４〜１０ｍｍを有することが特に実際的であることが実証される。凹部のこれらの寸法は、実際に傷の縫い目の収容にも通常の大きさの傷クリップの収容のためにも十分であることが実証される。
【００１３】
　特別に有利な実施形態は、空所が圧縮体の領域に楕円状に形成されていることによって創造される。その際圧縮体の空所の形状は、膝皿の形に適合している。こうして、隣接した関節軟部に圧縮体からかけられる圧力の導入は、改善されかつ膝皿は支持されかつ案内される。
【００１４】
　空所が長軸の長さ略７０〜８５ｍｍかつ短軸の長さ略７０〜８５ｍｍを有することが、特に実際的であることが実証された。この寸法範囲は、略膝皿の大きさに相応する。各膝皿に対する圧縮体における空所の正確な適合を得るために、手術前に患者の膝皿の測定を行うことが有利である。こうして、隣接した関節軟部への圧力導入及び膝皿の支持作用が一層改善される。
【００１５】
　本発明の特に合理的な他の構成は、圧縮体が接着結合によって圧縮ストッキングに取り外し可能に固定されることによって達成される。接着結合は、最小の襞形成によって圧縮体と圧縮ストッキングとの間の確実な結合を保証する。こうして、膝関節に対する接触領域に平滑な面が生じ、それによって更に圧縮個所が回避されることができる。圧縮体の取り外し可能な固定によって、圧縮ストッキングのフレキシビリテーが一層高められる、そのわけは、一方では、圧縮ストッキングが術後に固定された圧縮体によって及び他方では、圧縮体なしにも、例えば、専ら血栓症予防のために使用可能であるからである。更に、同一の圧縮ストッキングの他の用途への使用も可能である。
【００１６】
　その際、圧縮体が少なくとも部分的にシリコンから成ることは特に有利であることが実証される。シリコンは、良好な圧力強度によって特徴づけられかつ従って、圧縮体用材料として特に好適である。更に、シリコンの消毒は非常に簡単であり、このことは、例えば、傷縫い目のやぶれ及び炎症を防ぐために、傷縫い目に対する直接接触を伴う使用の際に特に有利である。このために、シリコンが実際に皮膚にマッチすることが明らかにされた。
【００１７】
　本発明の他の合理的な構成は、圧縮体と関節軟部との間に保護層が配設されていることによって創造される。この保護層は、圧縮体と関節軟部との間の直接接触を防止しかつ患者のシリコンアレルギーの場合に特に有利である。更に、保護層は、傷から出る分泌液を吸収しかつそれによって傷の治癒を改善する。
【実施例】
【００１８】
　本発明では種々の実施形態が可能である。基本原理を更に明らかにするために、実施形態が図面に表されており，以下これらを説明する。
【００１９】
　図１は、本発明による圧縮ストッキング１を付けた人の腰から下の図式的正面図である。圧縮ストッキング１は、 足領域３から縁部４の領域まで脚全体を覆う。圧縮ストッキングは、弾性織物、ニット製品及び編物からなりかつ所望の圧縮力に従って相異なる材料成分から構成される。圧縮ストッキング１は、例えば、ポリアミド６５％とエラスタン（Ｅｌａｓｔｈａｎ）３５％から成りかつ圧縮クラスＩＩに属する。その際勿論、圧縮ストッキング１の他の材料組成及び圧縮クラスも考えられる。膝関節５の領域において、圧縮ストッキング１と膝関節５との間に、圧縮ストッキング１の内側に固定される圧子として形成された圧縮体６が配設されている。圧縮体６は、図１中には点線で表されている、 そのわけは、圧縮体６は圧縮ストッキング１の下方に配設されているからである。本発明による圧縮ストッキング１は、特に、手術後、例えば、手術後膝関節５に使用される。
【００２０】
　圧縮ストッキング１によって、特定された圧力が脚２及び圧縮体６にかけられる。図２は、図１による圧縮体６の背面を拡大図かつ部分的に断面して表す。圧縮体６は、膝関節５の膝皿の収容のための空所７を有する。それによって、膝皿が支持され、案内されかつ圧縮体６の圧力から除外される。圧縮体６も空所７も、長軸８及び短軸９を有する略楕円の形を有する。それによって圧縮体６は略関節軟部の形と、そして空所７は略膝皿の形と合致する。圧縮ストッキング１によってもたらされる圧力は、圧縮体６を介して完全にかつ殆ど損失なしに膝関節５の関節軟部に導入される。それによって手術後に発生した傷分泌液、血液及び体液は、関節軟部若しくは膝関節５の血管包被から静脈の還流を介して押し出されかつ膝関節５の腫れは防止される。その際圧縮ストッキング１は、全脚領域で血液の静脈還流を支持しかつそれによって血栓症を防止する。図１による圧縮ストッキング１を付けた状態において、圧縮体６は、圧縮体６の長軸８が人体縦軸線１０に対して略平行に向けられるように、膝関節５若しくは膝皿に付設されている。傷縫い目及び傷挟みの収容のために、圧縮体６に凹部１１が配設されている。この凹部１１は、圧縮体６の主軸線８に沿って圧縮体６の全長に配設されているかつ空所７によって中断されている。その際凹部１１の深さは、圧縮体６の厚さよりも小さく、このことは、特に図３から明らかである。圧縮体６は、シリコンから、しかし類似の特性を有する他の好適な材料からも形成されることができる。
【産業上の利用可能性】
【００２１】
　付設の圧縮体６を有する本発明による圧縮ストッキング１によって、術後の使用では傷治癒が改善され、膝の腫れが防止され若しくは解消されかつ縫い目のひらきが阻止される。更に、圧縮ストッキングは血栓症予防に役立つので、医療分野、特に術後のリハビリ分野に広く利用されることができる。
【図面の簡単な説明】
【００２２】
【図１】本発明による圧縮ストッキング１を付けた人の腰から下方の図式的正面図である。
【図２】図１による圧縮体の拡大されかつ部分的に断面で示す図である。
【図３】圧縮体の図２の矢視Ａである。
【符号の説明】
【００２３】
　１　圧縮ストッキング
　２　脚
　３　足領域　
　４　縁部
　５　膝関節
　６  圧縮体
７　空所
　８　長軸
　９　短軸
　１０　人体縦軸線
　１１　凹部
【図１】
2004076250.tif 000003
【図２】
2004076250.tif 000004
【図３】
2004076250.tif 000005